(57)【要約】【課題】頭髪へ毛染め液を塗布する場合に使用する容器キャップ等として使用可能な塗布具において、毛染め液などの内容液を吐出するときの操作が軽快に行え、また頭髪などに対する内容液の塗布が十分に行え、製造コストの低廉化も図れるようにする。【解決手段】中空の塗布具本体５と、この先方に内部連通しつつ先端が行き止まりとなって設けられた吐出部６と、この更に先方へ突出して設けられた均し部７とを有し、吐出部７には内容液を均し部７に沿わせつつ先方外部へ流出させる吐出孔１３が設けられていると共にこの吐出孔１３から塗布具本体５へ向けた外部面で扁平化された塗布面１２が設けられているものとした。【選択図】図１
2005066052.tif 000002
【特許請求の範囲】
【請求項１】
中空の塗布具本体（５）と、この塗布具本体（５）の先方に内部連通しつつ先端部（１１ａ）が行き止まりとなって設けられた吐出部（６）と、この吐出部（６）の外部で更に先方へ突出して設けられた均し部（７）とを有し、吐出部（６）には塗布具本体（５）の内部を通って当該吐出部（６）内に供給される内容液を均し部（７）に沿わせつつ先方外部へ流出させる吐出孔（１３）が設けられていると共にこの吐出孔（１３）から塗布具本体（５）側へ向けた外部面で扁平化された塗布面（１２）が設けられていることを特徴とする塗布具。
【請求項２】
前記均し部（７）は幅方向で複数本の櫛歯（１６）が並んだクシ形状に形成されており、前記吐出部（６）の塗布面（１２）は均し部（７）の全ての櫛歯（１６）の根本部にわたる範囲で形成されていることを特徴とする請求項１記載の塗布具。
【請求項３】
前記吐出部（６）又は均し部（７）の少なくとも一方が斜め先方へ向けて傾斜して形成されていることを特徴とする請求項２記載の塗布具。
【請求項４】
前記吐出部（６）に設けられる吐出孔（１３）は均し部（７）の各櫛歯（１６）の根本部が隣接する股間部で吐出部（６）の両面に跨って開口されたものであることを特徴とする請求項２又は請求項３記載の塗布具。
【請求項５】
前記均し部（７）は幅方向で凹凸を繰り返した凹凸板状に形成されており、前記吐出部（６）に設けられる吐出孔（１３）はこの均し部（７）における根本部の両側面のうち凹部（３０）となる箇所に対応させて配置されることによって均し部（７）の両面へ内容液を流出可能になっていることを特徴とする請求項１記載の塗布具。
【請求項６】
前記吐出部（６）は幅方向に扁平で且つ先方ほど薄くなった後に先端部（１１ａ）が設けられるヘラ形体に形成されており、前記均し部（７）は吐出部（６）の先端部（１１ａ）でその幅方向に複数並んで突出する小さな突起（３５）を有して形成されており、吐出部（６）に設けられる吐出孔（１３）は均し部（７）における根本部で吐出部（６）の両面に各別に配置されることによって均し部（７）の両面へ内容液を流出可能になっていることをことを特徴とする請求項１記載の塗布具。
【請求項７】
前記塗布具本体（５）は、内容液を入れる容器（２）の口部（３）に対して着脱自在なキャップ構造を有していることを特徴とする請求項１乃至請求項６のいずれかに記載の塗布具。
【発明の詳細な説明】
【技術分野】
【０００１】
本発明は、頭髪へ毛染め液を塗布する場合に使用する容器キャップ等として使用可能な塗布具に関するものである。
【背景技術】
【０００２】
頭髪へ毛染め液を塗布する場合に使用する容器キャップとして、中空の櫛歯が幅方向に並んでクシ形体に形成され、各櫛歯の先端部には隣接する櫛歯に向けて横向きに開口する吐出口が設けられ、この吐出口から毛染め液などの内容液を吐出させるようにしたものが知られている（特許文献１参照）。また、これとは別の容器キャップとして、中空の櫛歯が幅方向に並んでクシ形体に形成され、各櫛歯の先端部には小さな間隔をおいて一対の液溜片が突設され、これら液溜片の相互間で二股状になった部分に吐出口が設けられ、この吐出口から毛染め液などの内容液を吐出させるようにしたものが知られている（特許文献２や３参照）。
【特許文献１】特開平１０−１３７０２９号公報
【特許文献２】特開２００１−１９０１５号公報
【特許文献３】特開２００１−１９０１６号公報
【発明の開示】
【発明が解決しようとする課題】
【０００３】
櫛歯の先端部で隣接する櫛歯に向けて横向きに吐出口が設けられたタイプの容器キャップ（特許文献１）では、容器側から櫛歯内部を送られる内容液が９０°の向き変え後に吐出口を経て吐出されることからその管路抵抗は大きくなり、十分な吐出量を得るための操作（例えば容器を凹ますように押す）に大きな力を要するといった問題があった。また、この容器キャップを製作するには、櫛歯を中空とし且つこれに直交する吐出口を設けるために可動ピンを有した複雑構造の金型が必要になり、結果、この金型に対するメンテナンスの面倒さなどからコスト高を招来するということがあった。
【０００４】
一方、櫛歯の先端部に一対の液溜片が設けられたタイプの容器キャップ（特許文献２及び３）では、吐出口を出た内容液が液溜片相互間に溜まるだけで、液溜片を乗り越えて櫛歯の隣接間に回り込むといったことは殆ど起こらない。そのため、櫛歯相互間で頭髪を梳くようにしても、この頭髪に内容液が塗布され難いということがあった。
本発明は、上記事情に鑑みてなされたものであって、頭髪へ毛染め液を塗布する場合に使用する容器キャップ等として使用可能な塗布具において、この毛染め液などの内容液を吐出するときの操作が軽快に行え、また頭髪などに対する内容液の塗布が十分に行え、製造コストの低廉化も図れるようにした塗布具を提供することを目的とする。
【課題を解決するための手段】
【０００５】
前記目的を達成するために、本発明は次の手段を講じた。
即ち、本発明に係る塗布具１は、中空の塗布具本体５と、この塗布具本体５の先方に内部連通しつつ先端部１１ａが行き止まりとなって設けられた吐出部６と、この吐出部６の外部で更に先方へ突出して設けられた均し部７とを有している。
塗布具本体５は内容液を入れる容器自体としてもよいし、この容器２の口部３に対して着脱自在に設けるキャップ構造としてもよい。いずれにしても、この塗布具本体５の中空になった内部から吐出部６の内部へ向けて内容液が供給されることになる。また均し部７は、例えば幅方向で複数本の櫛歯１６が並んだクシ形状に形成されたもの、幅方向で凹凸を繰り返した凹凸板状（波板状など）に形成されたもの、幅方向で小さな突起が設けられたもの、等とすればよい。
【０００６】
そして吐出部６には、塗布具本体５内からこの吐出部６内へ供給される内容液を均し部７に沿わせつつ先方外部へ流出させる吐出孔１３が設けられている。また吐出部６には、吐出孔１３から塗布具本体５側へ向けた外部面で扁平化された塗布面１２が設けられている。
このような構成であると、塗布具本体５内から吐出部６内へ供給された内容液は、この供給流れと同一方向を保ったままその延長として吐出孔１３から外部へ流出し、更にその先方にある均し部７へと供給されることになる。従って内容液を吐出するときの操作が軽快に行える。しかも、吐出孔１３から外部へ流出した内容液は、均し部７の根本側から先端へ向けて満遍なく付着する状態となるので、この均し部７を例えば頭髪などへこすりつけるようにすることで、頭髪に対する内容液の塗布が十分に行えることになる。また、吐出部６に設けられている吐出孔１３は、塗布具本体５の中空内部等を成形するときと同一方向へ型抜きを行える構造であるから、複雑な金型を要せずして製造することができ、もって製造コストの低廉化が図れることになる。
【０００７】
均し部７を上記したクシ形状にする場合は、頭髪などに対して梳くように（ブラッシングするように）用いることになる。この場合、吐出部６の塗布面１２は均し部７の全ての櫛歯１６の根本部にわたる範囲で形成されているものとすればよい。これにより、頭髪などに対する内容液の塗布面積を塗布面１２で幅広く拡散させることができ、有効活用できる。なお、吐出部６又は均し部７の少なくとも一方を斜め先方へ向けて傾斜して形成しておくと、様々な使用状況や使用箇所に応じて使い便利を向上させることができる。更に吐出部６に設けられる吐出孔１３は、均し部７における各櫛歯１６の根本部が隣接する股間部で吐出部６の両面に跨って開口されたものとすることもできる。
【０００８】
均し部７を上記した凹凸板状（波板状など）にする場合は、頭髪などに対して均し部７の側面をこすりつけるように用いることになる。この場合、吐出部６に設けられる吐出孔１３はこの均し部７における根本部の両側面のうち凹部３０となる箇所に対応させて配置しておき、これによって均し部７の両面へ内容液を流出可能になったものとすればよい。このようにすることで、凹凸板状形の凹部３０（溝状部分）に沿って内容液の溜まりを生じさせることができ、内容液の塗布量を更に増量させることができる。殊に、均し部７をクシ形状にする場合とは異なり、凹部３０も凸部３１も板厚方向で貫通したものではないため、吐出孔１３から流出した内容液を全て均し部７の両面へ付着させておくことができる。
【０００９】
吐出部６は、その幅方向に扁平で且つ先方ほど薄くなった後に先端部１１ａが設けられるようにして、その全体がヘラ形体を呈するように形成することができる。このようにした場合は、頭髪などに対して吐出部６の側面をこすりつけるように用いるのが主な使い方となる。この場合、均し部７は、吐出部６の先端部１１ａでその幅方向に複数並んで突出する小さな突起３５を有して形成されたものとするのが好適である。また吐出部６に設けられる吐出孔１３は、均し部７における根本部で吐出部６の両面に各別に配置しておき、これによって均し部７の両面へ内容液を流出可能になったものとすればよい。
【００１０】
このようにすれば、均し部７をクシ形状とした場合に準じて、頭髪などを梳くように（ブラッシングするように）用いることも、ある程度は可能になる。むしろ、先端の小さな突起３５で頭髪などの生え際を分けつつ、頭皮へ内容液を行き渡らせるという使い方ができる面で有益になっている。
【発明の効果】
【００１１】
本発明に係る塗布具は、頭髪へ毛染め液を塗布する場合に使用する容器キャップ等として使用可能であって、この毛染め液などの内容液を吐出するときの操作が軽快に行え、また頭髪などに対する内容液の塗布が十分に行え、製造コストの低廉化も図れる。
【発明を実施するための最良の形態】
【００１２】
以下、本発明の実施の形態を、図面に基づき説明する。
図１乃至図４は本発明に係る塗布具１の第１実施形態を示している。この塗布具１は毛染め液などを入れる容器２に対してその口部３に設けられるものである。この容器２の一例として、塗布具１とは別体形成されその口部３が容器２の本体部分よりも一回り径小に絞られて短筒形状に形成されたものを示している。この塗布具１は、塗布具本体５と吐出部６と均し部７とを有している。これらはＰＰや塩化ビニルなどの適宜樹脂材を素材として一体的に設けられている。
【００１３】
塗布具本体５は、容器２の口部３に外嵌する中空円盤形のキャップ形状に形成されている。この塗布具本体５の外径は容器２の外径と略同等になっている。容器２における口部３の外周面まわりに雄ねじ３ａを設け、塗布具本体５の内周面にこの雄ねじ３ａと螺合可能な雌ねじ５ａを設けておくことで、この塗布具１を容器２の口部３に対してねじ構造により、着脱自在とすることができる。この場合、雄ねじ３ａ及び雌ねじ５ａはリードの粗いものとすれば塗布具１の着脱が容易となり、反対にリードの細かいものとすれ塗布具１と容器２との結合強度を高めることができる。この塗布具本体５の内周部に、容器２の口部３をその内側からバックアップするように円環状の液だれ片８を設けておくことで、一層の液漏れ防止効果を得ることができ好適である。なお、雄ねじ３ａ及び雌ねじ５ａを設けず、締まり嵌めによる嵌合（圧入）構造にしたり、凹側係合部と凸側係合部とによる適宜係合構造にしたりして、塗布具１と容器２とを着脱自在にすることも可能である。
【００１４】
吐出部６は塗布具本体５の先部に設けられている。この吐出部６は、塗布具本体５から先方へ延びる扁平で中空の通路部１０と、この通路部１０の先端部を閉塞させた行き止まり部１１とを有している。通路部１０内が中空であるため、塗布具本体５内から送られる内容液は行き止まり部１１内へと行き渡る。通路部１０は、塗布具本体５の直径方向に対して略一杯にわたる幅寸法を有して形成されており、行き止まり部１１は、通路部１０と同一幅寸法を有しつつその厚さ分を徐々に減らして先細り形に形成されている。行き止まり部１１の先端部１１ａは、この塗布具１を容器２へ取り付けるときの軸心に対して直交して設けられており、その側面形状としてアール面取りが施されたものとなっている（図２参照）。
【００１５】
この行き止まり部１１の外部面では、先端部１１ａへ向けてその両側から相互近接するように傾斜する部分（表裏両側）が、それぞれ、ほぼ扁平な（平面的又は僅かなカーブ成分を有した曲面的な面の）塗布面１２として形成されている。そしてこれら塗布面１２は吐出部６の幅一杯に及んでいる。また、この行き止まり部１１には、両側の塗布面１２においてそれぞれ先端部１１ａ寄りとなる位置に、その幅方向で互いに所定間隔をおいて複数の吐出孔１３が設けられている。これら各吐出孔１３は、塗布具本体５の内部から吐出部６の内部へと内容液が供給されるときに、この供給流れと同一方向を保ったまま内容液が外部へ流出するように（そのような向きで）開口している。
【００１６】
均し部７は、吐出部６より更に先方へ突出して設けられている。この均し部７は、吐出部６の先端部１１ａでその幅方向に沿って複数本の櫛歯１６が並んだクシ形状に形成されている。各櫛歯１６は、この塗布具１を容器２へ取り付けるときの軸心に対して平行する方向で突出しており、それぞれの先端部は先細り形に形成され且つその側面形状としてアール面取りが施されている（図２参照）。各櫛歯１６は、吐出部６に設けられた吐出孔１３と交互配置になっている。すなわち、櫛歯１６と櫛歯１６との隣接間（股間部）にそれぞれ吐出孔１３が位置付けられている。なお、吐出部６の塗布面１２は、上記したように吐出部６の幅一杯に及んでいるので、この均し部７の全ての櫛歯１６の根本部にわたって形成されていることになる。このようなことから、吐出部６の各吐出孔１３からその先方へ向けて流出する内容液は、均し部７の各櫛歯１６に沿って更に先方へと導かれる。
【００１７】
このような構成の塗布具１を内容液の入った容器２の口部３へ取り付け、容器２を上下逆向きにし、また必要に応じて容器２を凹ますようにして内容液の取りだし操作をしたとする。すると、内容液は容器２から塗布具本体５の内部を経て吐出部６の内部へと送られ、この吐出部６の行き止まり部１１内を満たすようになる。そして内容液は、この吐出部６の各吐出孔１３から外部へと流出し、塗布具本体５から吐出部６へ向く供給流れと同一方向を保ったままその延長として均し部７の各櫛歯１６のまわりへと供給される。従って均し部７の各櫛歯１６まわり、或いは隣接する櫛歯１６の相互間に内容液が付着し、必要に応じて液溜まりを生じさせることもできる。
【００１８】
このとき、均し部７を例えば頭髪などへ差し込んでおいたり、頭髪を梳くようにしたりすることで、均し部７の各櫛歯１６まわり、或いは隣接する櫛歯１６の相互間に液溜め状態にさせた内容液を頭髪に対して満遍なく塗布することができる。また一旦、頭髪に塗布した内容液を塗布面１２によって頭髪へこすりつけ、拡散さるような使い方もできる。
図５は本発明に係る塗布具１の第２実施形態を示している。この第２実施形態の塗布具１では、均し部７に設けられる櫛歯１６が、この塗布具１を容器２へ取り付けるときの軸心に対して斜め先方へ向けて傾斜した状態で設けられている。その他の構成は第１実施形態と略同様である。このような塗布具１では、容器２を持つ傾きと均し部７における各櫛歯１６の傾きとが異なり、櫛歯１６の方が傾きが大きくなるので、結果として容器２の傾け方を抑えても櫛歯１６を所定角度に傾けることができるという取り扱い上の利便性が図れるものである。
【００１９】
図６は本発明に係る塗布具１の第３実施形態を示している。この第３実施形態の塗布具１では、均し部７に設けられる櫛歯１６は、この塗布具１を容器２へ取り付けるときの軸心と平行しているが、吐出部６に設けられる行き止まり部１１の先端部１１ａ及び塗布面１２は、この塗布具１を容器２へ取り付けるときの軸心に対して斜め先方へ向けて傾斜した状態で設けられている。その他の構成は第１実施形態と略同様である。このような塗布具１では、容器２を持つ傾きと均し部７における行き止まり部１１の先端部１１ａ及び塗布面１２の傾きとが異なり、また均し部７の各櫛歯１６の突出長さも異なってくるので、容器２の傾け方を種々に変えたときに、塗布面１２を頭髪などへこすりつける角度や櫛歯１６を届かせる範囲を微妙に変更できるといった取り扱い上の利便性が図れるものである。
【００２０】
図７は本発明に係る塗布具１の第４実施形態を示している。この第４実施形態の塗布具１では、均し部７に設けられる櫛歯１６だけでなく、吐出部６に設けられる行き止まり部１１の先端部１１ａ及び塗布面１２のいずれもが、この塗布具１を容器２へ取り付けるときの軸心に対して斜め先方へ向けて傾斜した状態で設けられている。その他の構成は第１実施形態と略同様である。このような塗布具１では、上記した第２実施形態や第３実施形態の利便性を併せ持った使用が可能となる。
図８は本発明に係る塗布具１の第５実施形態を示している。この第５実施形態の塗布具１では、取り付けの対象とする容器２において、その口部３が容器２の本体部分に比べて格段に径小に絞られ、これに対して塗布具１の塗布具本体５の外径が容器２の外径と略同等になっている場合への適応例であって、塗布具本体５と容器２の口部３との間に中間部材２０が用いられている。その他の構成は第１実施形態と略同様である。
【００２１】
この中間部材２０は、塗布具１の塗布具本体５に対して内嵌合可能となる外輪部２１と、容器２の口部３に対して外嵌合可能となる内輪部２２と、これら外輪部２１と内輪部２２とを両者の上端部で連結するドーナツ板状の上板部２３とを有している。成形素材は樹脂でも金属でもよい。
この中間部材２０と塗布具１との結合構造や、この中間部材２０と容器２との結合構造は、ねじ構造、嵌着（圧入）構造、係合構造、接着構造など、何を採用してもよい。ただ、中間部材２０と塗布具１との結合又は中間部材２０と容器２との結合のいずれか一方は、必要に応じて着脱自在なものとするのが好適である。図例における中間部材２０と塗布具１との結合構造は、中間部材２０の外輪部２１にその外周面を一周する周凸条２５が設けられ、これに対して塗布具１の塗布具本体５にはその内周面を一周する周溝２６が設けられて、これら周凸条２５と周溝２６とで凹凸嵌合させるものとしてある。また図例における中間部材２０と容器２との結合構造は、容器２の口部３にその外周面まわりを周回する雄ねじ３ａが設けられ、これに対して中間部材２０の内輪部２２にはその内周面に上記雄ねじ３ａと螺合可能な雌ねじ２２ａが設けられ、これら雄ねじ３ａと雌ねじ２２ａとでねじによる着脱ができるものとしてある。
【００２２】
なお、中間部材２０には、塗布具１の塗布具本体５に対してその内周部に設けられた液だれ片８と係合する円周堰２６が設けられ、液だれ片８によるバックアップを受けて液漏れ防止効果を得るようにしてある。加えて、この中間部材２０には、容器２の口部３をその内側からバックアップするように円環状の液だれ片２７が設けられ、ここでの液漏れ防止効果をも得られるようにしてある。
このような中間部材２０を具備する塗布具１では、塗布具本体５の外径、容器２における本体部分の外径、及び容器２における口部３の外径といった三者間において、それらの相関関係を自由に設定できることになる。すなわち、広口の容器２に対しても、小口の容器２に対しても、塗布具１の装着が可能になるものである。
【００２３】
図９は本発明に係る塗布具１の第６実施形態を示している。この第６実施形態の塗布具１では、吐出部６に設けられる吐出孔１３が、行き止まり部１１の先端部１１ａを跨ぐように開口されたものである。すなわち、この吐出孔１３は両側の塗布面１２に対して各別に設けられたものではなく、両側の塗布面１２間で繋がって開口していると言うことができる。その他の構成は第１実施形態と略同様である。
このような吐出孔１３から内容液が流出することで、内容液の流出時における管路抵抗は更に減少し、内容液を吐出するときの操作が一層軽快に行える。また、均し部７の各櫛歯１６に沿って先方へ導かれるときの指向性も高くなり、各櫛歯１６まわり、或いは隣接する櫛歯１６の相互間に内容液が付着しやすくなって、液溜まりを生起させやすいという利点がある。吐出孔１３について、この第６実施形態のものを選択するか或いは第１実施形態のものを選択するかは、内容液の粘度などを観点として判断すればよい。
【００２４】
図１０及び図１１は本発明に係る塗布具１の第７実施形態を示している。この第７実施形態の塗布具１では、均し部７が、幅方向で凹部３０（溝状部分）と凸部３１（畝状部分）とを繰り返した凹凸板状に形成されたものである。そして、この均し部７における根本部の両側面のうち、凹部３０となる箇所に対応させて吐出孔１３が設けられている。その他の構成は第１実施形態と略同様である。なお、図例では一つ一つの凹部３０や凸部３１が滑らかなカーブ断面を描いたものとなって、全体で波板形状を呈したものを示してあるが、三角折れした屏風状を呈するもの、或いは四角形状に鉤折れしたジグザグ板状を呈するものとしてもよい。また均し部７は、吐出部６などとは異なる柔軟な材質（樹脂やゴムなどの可撓性や弾性を具備した材質）で形成することも可能である。
【００２５】
均し部７を上記のような凹凸板状にしておくと、頭髪などに対して均し部７の側面を面接触状にこすりつけることができるので、一度に広い面積にわたって内容液を塗布するうえで好都合となる。しかも凹部３０では内容液の溜まりを生じさせることができるので、内容液の塗布量を必要に応じて増量させることもできる。
図１２及び図１３は本発明に係る塗布具１の第８実施形態を示している。この第８実施形態の塗布具１では、吐出部６が、幅方向に扁平で且つ先方ほど薄くなるヘラ形体に形成されたものである。そして均し部７は、この吐出部６の先端部１１ａでその幅方向に複数並んで突出する小さな突起３５を有して形成されたものとなっている。また吐出部６に設けられる吐出孔１３は、均し部７における根本部で吐出部６の両面に各別に配置されている。その他の構成は第１実施形態と略同様である。なお、図例では一つ一つの突起３５の先端及び突起３５相互間にできる股間部（行き止まり部１１の先端部１１ａ）が滑らかなカーブ輪郭を描いたものを示してあるが、三角形や四角形を繰り返したギザ歯状乃至角歯状のものとしてもよい。
【００２６】
このような塗布具１では、頭髪などに対して吐出部６の側面を面接触状にこすりつけることができるので、一度に広い面積にわたって内容液を塗布するうえで好都合となる。また、第１実施形態のように均し部７をクシ形状とした場合に準じて、頭髪などを梳くように（ブラッシングするように）用いることも、ある程度は可能になるし、突起３５で頭髪などの生え際を分けつつ、頭皮へ内容液を行き渡らせるという使い方もできる。
本発明は、上記実施形態に限定されるものではなく、実施の状況に応じて適宜変更可能である。例えば、この塗布具１は容器２と一体的に形成したり、或いは容器２に対して不分離状態に結合させたりすることも可能である。また、内容液は毛染め液に限らず、増毛剤やその他各種の薬剤、或いはシャンプーなどでもよく、また用途としても、頭髪以外の体毛へ除毛剤を塗布したり、ペットにシャンプーや各種薬剤を塗布したりするのに使用できる。頭髪以外の体毛へ除毛剤を塗布する場合は、第７実施形態（図１０及び図１１参照）や、第８実施形態（図１２や図１３）が特に適している。
【図面の簡単な説明】
【００２７】
【図１】本発明に係る塗布具の第１実施形態を示した判断面正面図である。
【図２】本発明に係る塗布具の第１実施形態を示した判断面側面図である。
【図３】本発明に係る塗布具の第１実施形態を示した平面図である。
【図４】第１実施形態の塗布具の吐出部及び均し部を示した斜視図である。
【図５】本発明に係る塗布具の第２実施形態を示した正面図である。
【図６】本発明に係る塗布具の第３実施形態を示した正面図である。
【図７】本発明に係る塗布具の第４実施形態を示した正面図である。
【図８】本発明に係る塗布具の第５実施形態を示した判断面正面図である。
【図９】本発明に係る塗布具の第６実施形態についてその吐出部及び均し部を示した斜視図である。
【図１０】本発明に係る塗布具の第７実施形態についてその吐出部及び均し部を示した斜視図である。
【図１１】本発明に係る塗布具の第７実施形態を示した平面図である。
【図１２】本発明に係る塗布具の第８実施形態についてその吐出部及び均し部を示した斜視図である。
【図１３】本発明に係る塗布具の第８実施形態を示した判断面側面図である。
【符号の説明】
【００２８】
１  塗布具
５  塗布具本体
６  吐出部
７  均し部
１１ａ  先端部
１２  塗布面
１３  吐出孔
１６  櫛歯
３０  凹部
３５  突起
【図１】
2005066052.tif 000003
【図２】
2005066052.tif 000004
【図３】
2005066052.tif 000005
【図４】
2005066052.tif 000006
【図５】
2005066052.tif 000007
【図６】
2005066052.tif 000008
【図７】
2005066052.tif 000009
【図８】
2005066052.tif 000010
【図９】
2005066052.tif 000011
【図１０】
2005066052.tif 000012
【図１１】
2005066052.tif 000013
【図１２】
2005066052.tif 000014
【図１３】
2005066052.tif 000015